(57)【特許請求の範囲】
【請求項１】
屈曲自在なヒンジ部を一端部側に有し、他端部側を開閉自在に構成した一対の箱状の絶縁ケースを備え、これらの絶縁ケースがジャンパー線を導入するコーン部を両端部に有すると共に、一対の前記ジャンパー線を接続するジャンパースリーブを内部に配置したジャンパースリーブカバーが容易に開かないようにするジャンパースリーブカバー用クリップであって、
一対の前記絶縁ケースの外周を挟持できるように、基端部が互いに連結した底部から延びて対向配置された、弾性変形が自在な一対の挟持片と、
一対の前記挟持片の底部と反対側に位置する一対の前記挟持片の先端部側を互いに内側に向かって屈曲させた後に、反転するように互いに外側に向かって湾曲した半円弧状の湾曲片と、を備え、
前記絶縁ケースの他端部側から一対の前記湾曲片を押圧すると、一対の前記挟持片の先端部側を開き、
一対の前記挟持片の底部が前記絶縁ケースの他端部側に到達すると、一対の前記絶縁ケースの少なくとも他端部側を挟持すると共に、当該絶縁ケースから脱落困難に一対の前記挟持片の先端部側を閉じ、
前記ジャンパースリーブカバーは、前記ヒンジ部と反対側に突出し、対向面が互いに当接できる一組の施錠片であって、一対の開閉腕を先端部に有する絶縁操作棒で把持できる施錠片を前記コーン部に有し、
一対の前記挟持片は、
前記底部側に切り欠かれ、前記施錠片と干渉しないように前記施錠片を逃げる逃げ部と、
一方の側部から内側に屈曲し、前記コーン部の側面に当接自在な複数の規制片と、有するジャンパースリーブカバー用クリップ。
【請求項２】
一対の前記挟持片の底部から突出し、一対の開閉腕を先端部に有する絶縁操作棒で把持できる把持片を更に備える請求項１記載のジャンパースリーブカバー用クリップ。
【請求項３】
絶縁性を有する合成樹脂で少なくとも一対の前記挟持片及び前記湾曲片を一体成形している請求項１又２記載のジャンパースリーブカバー用クリップ。
【発明の詳細な説明】
【技術分野】
【０００１】
本発明は、ジャンパースリーブカバー用クリップに関する。特に、電柱間で離隔した架空配電線を電気的に接続するジャンパー線をその被覆が剥離された芯線を圧縮により接続したジャンパースリーブを覆う開閉式のジャンパースリーブカバーが容易に開かないようにするジャンパースリーブカバー用クリップの構造に関する。
【背景技術】
【０００２】
架空配電線は、一般に電柱に架設されている。この場合、一組の架空配電線の端末が耐張碍子を介して、電柱に固定された腕金に絶縁支持されている。そして、一方の架空配電線の端末に接続したジャンパー線と、他方の架空配電線の端末に接続したジャンパー線とを、円筒状の圧縮スリーブで電気的に接続している。この圧縮スリーブは、露出させた状態では、感電の心配があるので、ジャンパースリーブカバーと呼ばれる絶縁ケースで覆っている。
【０００３】
架空配電線を停電状態で配電工事を行う場合において、架空配電線への誤通電などから感電を防止するため、間接活線工事用の接地短絡器具（アースフック）を用いて、架空配電線を接地短絡している。これにより、作業者の安全を確保できる。より具体的には、アースフックを架空配電線に導通させ、アースフックから延出したアース線の末端に設けた接地極を地中に埋設することで、架空配電線を接地短絡している。
【０００４】
ところで、架空配電線及びジャンパー線は、絶縁被覆されているため、アースフックを導通させることが困難であった。そこで、ジャンパースリーブを外周方向から覆う円筒状のカバー本体と、ジャンパースリーブを外周方向から覆うと共に、カバー本体とスライド自在に着脱できるスライド蓋とで、ジャンパースリーブカバーを構成し、カバー本体からスライド蓋を取り外したときは、カバー本体の内部に配置されたジャンパースリーブをアースフックで把持することが容易なジャンパースリーブカバーが開示されている（例えば、特許文献１参照）。
【先行技術文献】
【特許文献】
【０００５】
【特許文献１】特開２０１３−１６２７３４号公報
【発明の概要】
【発明が解決しようとする課題】
【０００６】
図５は、従来技術によるジャンパースリーブカバーの構成を示す斜視図である。図６は、従来技術によるジャンパースリーブカバーの構成を示す正面図であり、カバー本体からスライド蓋を取り外した状態図である。本願の図５は、特許文献１の図１に相当し、本願の図６は、特許文献１の図２に相当している。
【０００７】
図５を参照すると、電柱Ｐには、一組の腕金Ａ・Ａが水平状態に配置されている。これらの腕金Ａ・Ａは、図示しないバンド金具を用いて、電柱Ｐに固定されている。一組の架空配電線（以下、電線と略称する）Ｗは、それらの端末が耐張碍子Ｓｉを介して、腕金Ａに絶縁支持されている。
【０００８】
図５を参照すると、一方の電線Ｗは、その端末にジャンパー線Ｗｊを分岐接続している。同様に、他方の電線Ｗは、その端末にジャンパー線Ｗｊを分岐接続している。そして、これらのジャンパー線Ｗｊ・Ｗｊの端末同士を圧縮スリーブ（図示せず）で電気的に接続している。ジャンパースリーブカバー（以下、スリーブカバーと略称する）９は、圧縮スリーブを覆うことで、感電を防止している。
【０００９】
図６を参照すると、スリーブカバー９は、絶縁性を有する円筒状のカバー本体９１と絶縁性を有する円筒状のスライド蓋９２で構成している。カバー本体９１は、外周方向から矩形に切り欠いた窓９１ｗを中央部に形成している。窓９１ｗを介して、円筒状の圧縮スリーブ（図示せず）をカバー本体９１の内部に配置できる。スライド蓋９２は、外周の一部が切り欠かれている。
【００１０】
又、図６を参照すると、カバー本体９１は、外側に向かって縮径した一対の円錐体状のコーン部９１ｃ・９１ｃを両端部に形成している。コーン部９１ｃには、ジャンパー線Ｗｊ（図５参照）を挿通できる貫通穴９１ｈを開口している。ジャンパー線Ｗｊを貫通穴９１ｈに挿通し、被覆を剥離したジャンパー線Ｗｊの芯線を図示しない圧縮スリーブで圧縮することで、一組のジャンパー線Ｗｊ・Ｗｊを電気的に接続できる。
【００１１】
図６を参照すると、カバー本体９１は、外周方向に部分的に突出した凸部９１ｔを有している。凸部９１ｔは、図６の紙面の奥側にも形成されている。一方、スライド蓋９２は、凸部９１ｔに嵌合する凹溝９２ｄを内壁に形成している。
【００１２】
図６を参照して、スライド蓋９２の外壁に形成された取っ手９２ｎを一対の開閉腕を先端部に有する絶縁操作棒（図示せず）で把持し、カバー本体９１の外周方向から押し込んだ後に、スライド蓋９２を軸方向にスライドすることで、圧縮スリーブを覆うことができる。一方、カバー本体９１からスライド蓋９２を取り外した状態では、一対の把持爪を有するアースフック（図示せず）を用いて、窓９１ｗを介して、圧縮スリーブをその外周方向から把持できる。
【００１３】
又、図７は、一般的なジャンパースリーブカバーの装柱図である。図７を参照すると、一組の電線Ｗ・Ｗは、それらの端末が耐張碍子Ｓｉを介して、腕金Ａに絶縁支持されている。一方の電線Ｗは、引下線Ｗｅを分岐している。又、一方の電線Ｗは、その端末にジャンパー線Ｗｊを分岐接続している。他方の電線Ｗは、その端末にジャンパー線Ｗｊを分岐接続している。ジャンパー線Ｗｊは、その中央部がピン碍子Ｐｉに支持されている。ピン碍子Ｐｉは、腕金Ａに固定されている。そして、図示しない圧縮スリーブを用いて、これらのジャンパー線Ｗｊ・Ｗｊの端末同士を電気的に接続している。スリーブカバー７は、圧縮スリーブを覆うことで、感電を防止している。
【００１４】
一般に、スリーブカバー７は、一端部側をヒンジ部で屈曲自在に連結し、一端部側と反対側の他端部側を開閉自在とした一対の絶縁ケースで構成している。特許文献１によるスリーブカバー９は、内部に配置された圧縮スリーブをアースフックで把持することが容易であるが、その用途が限定されている。
【００１５】
一方、市販されている上述した一般的なスリーブカバー７は、一対の絶縁ケースの他端部側をホックと係合穴で係合して閉じているが、スリーブカバー７を長期間使用していると、ジャンパー線の振動などで一対の絶縁ケースの他端部側が開き易いという問題があった。このため、圧縮スリーブが露出する心配があった。又、一対の絶縁ケースの開いた通電部で蛇・からすなどの害獣が感電する心配があった。
【００１６】
ジャンパースリーブを覆う開閉式のジャンパースリーブカバーが容易に開かないようにする、間接活線工事用のジャンパースリーブカバー用クリップが求められていた。そして、以上のことが本発明の課題といってよい。
【００１７】
本発明は、このような課題に鑑みてなされたものであり、ジャンパースリーブを覆う開閉式のジャンパースリーブカバーが容易に開かないようにする間接活線工事用のジャンパースリーブカバー用クリップを提供することを目的とする。
【課題を解決するための手段】
【００１８】
本発明者らは、ジャンパースリーブカバーの外周を挟持するために、底部から延びて、対向配置された弾性変形が自在な一対の挟持片と、底部と反対側に位置する一対の挟持片の先端部側を互いに内側に向かって屈曲させた後に、反転するように互いに外側に向かって湾曲した半円弧状の湾曲片と、でジャンパースリーブカバー用クリップを構成し、ジャンパースリーブカバーの他端部側からジャンパースリーブカバー用クリップを導入することで、ジャンパースリーブカバーが容易に開かないようにできると考え、これに基づいて、以下のような新たなジャンパースリーブカバー用クリップを発明するに至った。
【００１９】
（１）本発明によるジャンパースリーブカバー用クリップは、屈曲自在なヒンジ部を一端部側に有し、他端部側を開閉自在に構成した一対の箱状の絶縁ケースを備え、これらの絶縁ケースがジャンパー線を導入するコーン部を両端部に有すると共に、一対の前記ジャンパー線を接続するジャンパースリーブを内部に配置したジャンパースリーブカバーが容易に開かないようにするジャンパースリーブカバー用クリップであって、一対の前記絶縁ケースの外周を挟持できるように、基端部が互いに連結した底部から延びて対向配置された、弾性変形が自在な一対の挟持片と、一対の前記挟持片の底部と反対側に位置する一対の前記挟持片の先端部側を互いに内側に向かって屈曲させた後に、反転するように互いに外側に向かって湾曲した半円弧状の湾曲片と、を備え、前記絶縁ケースの他端部側から一対の前記湾曲片を押圧すると、一対の前記挟持片の先端部側を開き、一対の前記挟持片の底部が前記絶縁ケースの他端部側に到達すると、一対の前記絶縁ケースの少なくとも他端部側を挟持すると共に、当該絶縁ケースから脱落困難に一対の前記挟持片の先端部側を閉じる。
【００２０】
（２）一対の前記挟持片の底部から突出し、一対の開閉腕を先端部に有する絶縁操作棒で把持できる把持片を更に備えることが好ましい。
【００２１】
（３）前記ジャンパースリーブカバーは、前記ヒンジ部と反対側に突出し、対向面が互いに当接できる一組の施錠片であって、一対の開閉腕を先端部に有する絶縁操作棒で把持できる施錠片を前記コーン部に有し、一対の前記挟持片は、前記底部側に切り欠かれ、前記施錠片と干渉しないように前記施錠片を逃げる逃げ部と、一方の側部から内側に屈曲し、前記コーン部の側面に当接自在な複数の規制片と、有することが好ましい。
【００２２】
（４）絶縁性を有する合成樹脂で少なくとも一対の前記挟持片及び前記湾曲片を一体成形していることが好ましい。
【発明の効果】
【００２３】
本発明によるジャンパースリーブカバー用クリップは、絶縁ケースの他端部側から一対の湾曲片を押圧すると一対の挟持片の先端部側を開くことができ、一対の挟持片の底部が絶縁ケースの他端部側に到達すると、一対の絶縁ケースの少なくとも他端部側を挟持すると共に、当該絶縁ケースから脱落困難に一対の挟持片の先端部側を閉じることができる。これにより、ジャンパースリーブカバーが容易に開かないようにできる。
【図面の簡単な説明】
【００２４】
【図１】本発明の一実施形態によるジャンパースリーブカバー用クリップの構成を示す斜視図であり、ジャンパースリーブカバーの一部を斜視図で示している。
【図２】前記実施形態によるジャンパースリーブカバー用クリップの構成を示す斜視図であり、ジャンパースリーブカバー用クリップ及びジャンパースリーブカバーの一部を図１と異なる方向から観ている。
【図３】前記実施形態によるジャンパースリーブカバー用クリップの構成を示す図であり、図３（Ａ）は、ジャンパースリーブカバー用クリップの正面図、図３（Ｂ）は、ジャンパースリーブカバー用クリップの右側面図、図３（Ｃ）は、ジャンパースリーブカバー用クリップの下面図、図３（Ｄ）は、図３（Ａ）のＸ−Ｘ矢視断面図である。
【図４】前記実施形態によるジャンパースリーブカバー用クリップが適用されるジャンパースリーブカバーの構成を示す図であり、図４（Ａ）は、ジャンパースリーブカバーの正面図、図４（Ｂ）は、ジャンパースリーブカバーの右側面図、図４（Ｃ）は、ジャンパースリーブカバーの下面図である。
【図５】従来技術によるジャンパースリーブカバーの構成を示す斜視図である。
【図６】従来技術によるジャンパースリーブカバーの構成を示す正面図であり、カバー本体からスライド蓋を取り外した状態図である。
【図７】一般的なジャンパースリーブカバーの装柱図である。
【発明を実施するための形態】
【００２５】
以下、図面を参照して本発明を実施するための形態を説明する。
［ジャンパースリーブカバー用クリップの構成］
最初に、本発明の一実施形態によるジャンパースリーブカバー用クリップの構成を説明する。
【００２６】
図１は、本発明の一実施形態によるジャンパースリーブカバー用クリップの構成を示す斜視図であり、ジャンパースリーブカバーの一部を斜視図で示している。図２は、前記実施形態によるジャンパースリーブカバー用クリップの構成を示す斜視図であり、ジャンパースリーブカバー用クリップ及びジャンパースリーブカバーの一部を図１と異なる方向から観ている。
【００２７】
図３は、前記実施形態によるジャンパースリーブカバー用クリップの構成を示す図であり、図３（Ａ）は、ジャンパースリーブカバー用クリップの正面図、図３（Ｂ）は、ジャンパースリーブカバー用クリップの右側面図、図３（Ｃ）は、ジャンパースリーブカバー用クリップの下面図、図３（Ｄ）は、図３（Ａ）のＸ−Ｘ矢視断面図である。
【００２８】
図４は、前記実施形態によるジャンパースリーブカバー用クリップが適用されるジャンパースリーブカバーの構成を示す図であり、図４（Ａ）は、ジャンパースリーブカバーの正面図、図４（Ｂ）は、ジャンパースリーブカバーの右側面図、図４（Ｃ）は、ジャンパースリーブカバーの下面図である。なお、従来技術で使用した符号と同じ符号は、その作用を同一にするので、以下の説明では割愛することがある。
【００２９】
（ジャンパースリーブカバーの構成）
本発明の一実施形態によるジャンパースリーブカバー用クリップの構成を説明するに先立ち、前記実施形態によるジャンパースリーブカバー用クリップが適用されるジャンパースリーブカバーの構成を説明する。
【００３０】
図４を参照すると、一実施形態によるジャンパースリーブカバー（以下、スリーブカバーと略称する）７は、半分割状態に形成された一対の箱状の絶縁ケース７１・７１で構成している。一対の絶縁ケース７１・７１は、一端部側をヒンジ部７１ｈで屈曲自在に連結し、他端部側を開閉自在に構成している。一対の絶縁ケース７１・７１の他端部側に設けた鍔片７２ｈを閉じることで、一対のジャンパー線Ｗｊ・Ｗｊを電気的に接続する円筒状のジャンパースリーブＳｊを一対の絶縁ケース７１・７１で覆うことができる（図２参照）。
【００３１】
図４を参照すると、一対の絶縁ケース７１・７１は、角丸長方形の外形を有するカバー本体部７０と一対の円錐体状のコーン部７１ｃ・７１ｃを備えている。カバー本体部７０は、ジャンパースリーブＳｊを覆うことができる（図２参照）。
【００３２】
図４を参照すると、一対のコーン部７１ｃ・７１ｃは、カバー本体部７０の両端部に形成している。コーン部７１ｃは、カバー本体部７０から連続すると共に、外側に向かって縮径している。又、コーン部９１ｃは、ジャンパー線Ｗｊを導入できる穴７０ｈを側面に開口している（図１又は図２参照）。
【００３３】
図４を参照すると、一対の絶縁ケース７１・７１は、一組の施錠片７２・７２をヒンジ部７１ｈと反対側に突出している。一方の施錠片７２ａは、一方の絶縁ケース７１のコーン部７１ｃの他端部側に突出している。他方の施錠片７２ｂは、他方の絶縁ケース７１のコーン部７１ｃの他端部側に突出している。他方の施錠片７２ｂは、円柱状のボス７２２を突出している（図３（Ｂ）参照）。一方の施錠片７２ａは、ボス７２２に嵌合する穴７２１を開口している。
【００３４】
図４を参照して、一対の開閉する把持腕を先端部に有する絶縁操作棒（図示せず）を用いて、一対の施錠片７２ａ・７２ｂの対向面が当接するように、施錠片７２ａ・７２ｂを把持することで、一対の絶縁ケース７１・７１の他端部側を閉じることができる。又、一対の開閉する把持腕を先端部に有する絶縁操作棒（図示せず）を用いて、施錠片７２ａ又は施錠片７２ｂを把持することで、スリーブカバー７を高所に移動できる。
【００３５】
（全体構成）
次に、本発明の一実施形態によるジャンパースリーブカバー用クリップの構成を説明する。図１から図３を参照すると、本発明の一実施形態によるジャンパースリーブカバー用クリップ（以下、クリップと略称する）１０は、弾性変形が自在な一対の挟持片１１・１１と一対の半円弧状の湾曲片１２・１２を備えている。
【００３６】
図１から図３を参照すると、一対の挟持片１１・１１は、基端部が互いに連結したＵ字状の底部１１ｂを有している。そして、一対の挟持片１１・１１は、一対の絶縁ケース７１・７１の外周を挟持できるように、底部１１ｂから延びて対向配置されている。
【００３７】
図１から図３を参照すると、一対の湾曲片１２・１２は、一対の挟持片１１・１１の底部１１ｂと反対側に位置する一対の挟持片１１・１１の先端部側を互いに内側に向かって屈曲させている。又、一対の湾曲片１２・１２は、それらの先端部を反転するように互いに外側に向かって湾曲している。
【００３８】
図１から図３を参照して、一対の絶縁ケース７１・７１の他端部側から一対の湾曲片１２・１２を押圧すると、互いの円弧部がスライドして、一対の挟持片１１・１１の先端部側を開くことができる。そして、一対の挟持片１１・１１の底部１１ｂが一対の絶縁ケース７１・７１の他端部側に到達すると（図３（Ｄ）参照）、一対の挟持片１１・１１が弾性復帰して、一対の絶縁ケース７１・７１の少なくとも他端部側を挟持できる。又、図３に示した状態では、一対の挟持片１１・１１は、一対の絶縁ケース７１・７１から脱落困難に、一対の挟持片１１・１１の先端部側を閉じている。
【００３９】
（把持片の構成）
図１から図３を参照すると、クリップ１０は、把持片１３を更に備えている。把持片１３は、一対の挟持片１１・１１の底部１１ｂから突出している。一対の開閉腕を先端部に有する絶縁操作棒（図示せず）を用いて、把持片１３を把持できる。そして、絶縁操作棒（図示せず）を用いて、把持片１３を把持することで、スリーブカバー７に向かって、クリップ１０を移動できる。
【００４０】
（逃げ部及び規制片の構成）
又、図１から図３を参照すると、一対の挟持片１１・１１は、逃げ部１１ｅと複数の規制片１４を有している。逃げ部１１ｅは、一対の挟持片１１・１１の底部側が切り欠かれている。そして、逃げ部１１ｅは、施錠片７２と干渉しないように、施錠片７２を逃げている。規制片１４は、一対の挟持片１１・１１の一方の側部から内側に直角に屈曲している。そして、規制片１４は、コーン部７１ｃの側面に当接できる。
【００４１】
更に、図１から図３を参照すると、一対の挟持片１１・１１は、円錐体状のリブ１１ｒを内壁から突出している。これらのリブ１１ｒ・１１ｒは、コーン部７１ｃの斜面に当接できる。そして、これらのリブ１１ｒ・１１ｒは、コーン部７１ｃを挟持できる。
【００４２】
図３を参照すると、一対の挟持片１１・１１の底部１１ｂが施錠片７２の側面に当接することで、スリーブカバー７に対してクリップ１０が右側に移動することを阻止できる。一方、複数の規制片１４がスリーブカバー７の側面に当接することで、スリーブカバー７に対してクリップ１０が左側に移動することを阻止できる。
【００４３】
図１から図３を参照して、実施形態によるクリップ１０は、絶縁性を有する合成樹脂で少なくとも一対の挟持片１１・１１及び湾曲片１２・１２を一体成形していることが好ましい。
【００４４】
［ジャンパースリーブカバー用クリップの作用］
次に、実施形態によるクリップ１０の作用及び効果を説明する。
【００４５】
図１から図３を参照すると、クリップ１０は、一対の絶縁ケース７１・７１の他端部側から一対の湾曲片１２を押圧すると、一対の挟持片１１・１１の先端部側を開くことができる。更に、クリップ１０を押し上げて、一対の挟持片１１・１１の底部１１ｂが一対の絶縁ケース７１・７１の他端部側に到達すると、一対の絶縁ケース７１・７１の他端部側を一対の挟持片１１・１１で挟持できる。又、図３（Ｄ）に示すように、クリップ１０は、一対の絶縁ケース７１・７１から脱落困難に、一対の挟持片１１・１１の先端部側を閉じることができる。
【００４６】
図１から図３を参照すると、一対の開閉腕を先端部に有する絶縁操作棒（図示せず）を用いて、把持片１３を把持できる。絶縁操作棒（図示せず）を用いて、把持片１３を把持することで、スリーブカバー７に向かって、クリップ１０を移動できる。そして、スリーブカバー７に向かって、クリップ１０を押し上げることで、クリップ１０をスリーブカバー７に取り付けることができる。又、絶縁操作棒（図示せず）を用いて、スリーブカバー７からクリップ１０を取り外すことができる。
【００４７】
本発明によるジャンパースリーブカバー用クリップは、次のような効果が期待される。
（１）ジャンパースリーブカバーが開いて、スリーブが露出することに起因する停電事故を防止できる。
（２）一対の開閉腕を先端部に有する絶縁操作棒などの間接活線工具を用いて、クリップの取り付け又は取り外しを容易に実施できる。
（３）ジャンパースリーブカバーからクリップが脱落することを防止できる。
【００４８】
本発明によるジャンパースリーブカバー用クリップは、絶縁操作棒を用いた間接活線作業に好適な実施形態を開示したが、絶縁手袋を用いた直接活線作業にも適用できる。本発明によるジャンパースリーブカバー用クリップは、間接活線作業が効率化され、作業時間の短縮が期待できる。
【符号の説明】
【００４９】
７  スリーブカバー（ジャンパースリーブカバー）
１０  クリップ（ジャンパースリーブカバー用クリップ）
１１・１１  一対の挟持片
１１ｂ  底部
１２  湾曲片
７１・７１  一対の絶縁ケース
７１ｃ  コーン部
７１ｈ  ヒンジ部
Ｗｊ  ジャンパー線
Ｓｊ  ジャンパースリーブ
【図１】
0005955897.tif 000002
【図２】
0005955897.tif 000003
【図３】
0005955897.tif 000004
【図４】
0005955897.tif 000005
【図５】
0005955897.tif 000006
【図６】
0005955897.tif 000007
【図７】
0005955897.tif 000008